(57)【要約】【課題】液晶の応答遅延による漏れ光をより少なくし、画質悪化を改善すること。【解決手段】表示装置は、複数の画素を有する表示パネルと、入力された画像データに応じて前記表示パネルを制御する表示制御部と、前記表示パネルの背面側に配置された複数の発光手段を有する照明手段と、前記照明手段に含まれる制御エリア毎に発光強度を制御する発光制御手段と、を有し、前記発光制御手段は、制御エリアに対応する位置の画像データの時間変化量に応じて、周囲の制御エリアとの発光強度の差を制御する処理を実行する。【選択図】図１
2018180443.tif 000002
【特許請求の範囲】
【請求項１】
複数の画素を有する表示パネルと、
入力された画像データに応じて前記表示パネルを制御する表示制御部と、
前記表示パネルの背面側に配置された複数の発光手段を有する照明手段と、
前記照明手段に含まれる制御エリア毎に発光強度を制御する発光制御手段と、を有し、
前記発光制御手段は、制御エリアに対応する位置の画像データの時間変化量に応じて、周囲の制御エリアとの発光強度の差を制御する処理を実行することを特徴とする表示装置。
【請求項２】
前記発光制御手段は、前記発光強度の差を制御する処理として制御エリア間の発光強度の差を小さくする平滑化処理を行っており、制御エリアに対応する位置の画像データの時間変化量が大きいほど、平滑化の度合いを小さくすることを特徴とする請求項１に記載の表示装置。
【請求項３】
前記発光制御手段は、平滑化処理として、制御エリアに対応する位置の画像データの時間変化量に応じて平滑化の度合いを制御した後に、平滑化の度合いを大きくすることを特徴とする請求項２に記載の表示装置。
【請求項４】
前記平滑化処理は、各制御エリアの発光制御量に対して空間ＬＰＦを適用する処理であることを特徴とする請求項２又は３に記載の表示装置。
【請求項５】
異なる係数を含む複数の空間ＬＰＦを記憶する記憶部をさらに有し、
前記発光制御手段は、平滑化処理として、前記画像データの時間変化量に応じた空間ＬＰＦを前記記憶部から取得し、各制御エリアの発光制御量に対して該空間ＬＰＦを適用することを特徴とする請求項４に記載の表示装置。
【請求項６】
前記発光制御手段は、１フレーム前と現フレームとの画像データの差異を前記画像データの時間変化量とすることを特徴とする請求項１〜５のいずれか１項に記載の表示装置。
【請求項７】
前記発光制御手段は、１フレーム前と現フレームとの制御エリアに対応する前記表示パネルの領域の画素値の平均値の差分を前記画像データの時間変化量とすることを特徴とする請求項６に記載の表示装置。
【請求項８】
前記発光制御手段は、１フレーム前と現フレームとの制御エリアに対応する前記表示パネルの領域の画素値から輝度値をそれぞれ算出し、輝度値の平均値の差分を前記画像データの時間変化量とすることを特徴とする請求項６に記載の表示装置。
【請求項９】
前記発光制御手段は、制御エリアに対応する位置の画像データに基づいて算出される発光制御量を１フレーム前と現フレームとでそれぞれ算出し、１フレーム前と現フレームとの発光制御量の差分を前記画像データの時間変化量とすることを特徴とする請求項１〜５のいずれか１項に記載の表示装置。
【請求項１０】
複数の画素を有する表示パネルと、
入力された画像データに応じて前記表示パネルを制御する表示制御部と、
前記表示パネルの背面側に配置された複数の発光手段を有する照明手段と、を有する表示装置の制御方法であって、
前記照明手段に含まれる制御エリア毎に発光強度を制御するステップを有し、
前記発光強度を制御するステップで、制御エリアに対応する位置の画像データの時間変化量に応じて、周囲の制御エリアとの発光強度の差を制御する処理を実行することを特徴
とする表示装置の制御方法。
【発明の詳細な説明】
【技術分野】
【０００１】
本発明は、表示装置の制御方法に関する。
【背景技術】
【０００２】
入力された映像信号に応じて分割点灯制御可能なバックライトの各分割領域（以下、ＢＬ制御エリア）の輝度を変化させるローカルディミングと呼ばれる技術がある。ローカルディミング制御では液晶表示装置は、入力される映像信号に合わせてバックライトを制御し、ＢＬ制御エリアごとにバックライトの明るさを変化させる。
一方、液晶表示装置は、入力された映像信号に応じて液晶パネルにかける印加電圧を変化させることで液晶パネルを制御し、バックライトの光の透過率を制御する。これにより液晶パネルで映像信号に応じた階調表現が行われる。
【０００３】
ここでバックライトよりも液晶パネルの方が、応答速度が遅いため、バックライトの制御に要する時間よりも液晶パネルの制御に要する時間の方が長い。このため、ＢＬ制御エリア内でバックライトが点灯したときに、同じＢＬ制御エリア内の液晶パネルが所定の透過率となっておらず、液晶パネルから漏れ光が発生し、フリッカ、すなわち画面のちらつきの原因となることがある。このため、フリッカによる画質悪化を防止する技術が求められている。なお、漏れ光とは、液晶パネルの透過率が下げきれていため、バックライトの光が液晶パネルから漏れる現象をいう。
【０００４】
特許文献１によると、各ＢＬ制御エリアに対して一律に同じ空間ＬＰＦをかけ、ＢＬ制御エリアの輝度を平滑化することで、１か所のＢＬ制御エリアが局所的に明滅点灯することを避け、フリッカを起こりにくくしている。
【先行技術文献】
【特許文献】
【０００５】
【特許文献１】特開２０１０−０３９１１０号公報
【発明の概要】
【発明が解決しようとする課題】
【０００６】
ここで液晶パネルに全体が明るい画像が表示された後、１か所明るい領域を残して暗い画像が表示された場合を想定する。この場合に、明るい領域に対応するＢＬ制御エリアが明るく点灯するとともに、平滑化により周囲の暗い領域に対応するＢＬ制御エリアも少し明るく点灯することになる。ところが、液晶パネルの暗い画像が表示されている領域の透過率が下がりきっていないため、周囲の暗い領域から漏れ光が発生し、フリッカの原因となるという問題が発生する。
本発明は、上記の問題点に鑑み、表示パネルの応答遅延による漏れ光をより少なくし、画質悪化を改善することができる技術を提供することを目的とする。
【課題を解決するための手段】
【０００７】
本発明の第一態様は、複数の画素を有する表示パネルと、入力された画像データに応じて前記表示パネルを制御する表示制御部と、前記表示パネルの背面側に配置された複数の発光手段を有する照明手段と、前記照明手段に含まれる制御エリア毎に発光強度を制御する発光制御手段と、を有し、前記発光制御手段は、制御エリアに対応する位置の画像データの時間変化量に応じて、周囲の制御エリアとの発光強度の差を制御する処理を実行することを特徴とする表示装置を提供する。
【０００８】
本発明の第二態様は、複数の画素を有する表示パネルと、入力された画像データに応じて前記表示パネルを制御する表示制御部と、前記表示パネルの背面側に配置された複数の発光手段を有する照明手段と、を有する表示装置の制御方法であって、前記照明手段に含まれる制御エリア毎に発光強度を制御するステップを有し、前記発光強度を制御するステップで、制御エリアに対応する位置の画像データの時間変化量に応じて、周囲の制御エリアとの発光強度の差を制御する処理を実行することを特徴とする表示装置の制御方法を提供する。
【発明の効果】
【０００９】
本発明によれば、表示パネルの応答遅延による漏れ光をより少なくし、画質悪化をより改善することができる。
【図面の簡単な説明】
【００１０】
【図１】実施例１の表示装置の構成例を説明するためのブロック図である。
【図２】実施例１の処理のフローチャートの例を示す図である。
【図３】実施例１のローカルディミングを説明するための図である。
【図４】漏れ光低減テーブルデータのデータ構造の第１の例を示す図である。
【図５】空間ＬＰＦ係数Ｋの例を示す図である。
【図６】従来例のローカルディミングを示す図である。
【図７】実施例１のローカルディミングを示す図である。
【図８】従来例と実施例１のローカルディミングの具体例を示す図である。
【図９】実施例２の処理のフローチャートの例を示す図である。
【図１０】実施例１のローカルディミングを示す図である。
【図１１】実施例３の表示装置の構成例を説明するためのブロック図である。
【図１２】実施例３の処理のフローチャートの例を示す図である。
【図１３】漏れ光低減テーブルデータのデータ構造の第２の例を示す図である。
【発明を実施するための形態】
【００１１】
以下、本発明の好ましい実施例について、図面を参照しながら詳細に説明する。各図において、同一の構成については原則として同一の参照番号をふり、重複する説明は省略する。また、説明を具体化するために例示する数値等は、特に言及しない限りは、これに限定するものではない。
また、本発明は以下の実施例に限定されるものではなく、その要旨を逸脱しない範囲において適宜変更可能である。例えば、本発明が適用される装置の構成や各種条件によって下記実施例の各構成が適宜修正又は変更されてもよい。
【００１２】
＜実施例１＞
（表示装置１００の構成）
以下、図面を参照しながら実施例１の構成を説明する。
図１は、実施例１の表示装置１００の構成例を説明するためのブロック図である。表示装置１００は、液晶パネル１０１、バックライト１０２、ＢＬ(Back Light)制御値計算部１０３、フレームメモリ１０４、空間ＬＰＦ選択部１０５及び漏れ光低減テーブルデータ１０６を有する。さらに表示装置１００は、ＬＰＦ係数テーブルデータ１０７、ＬＰＦ係数読出し部１０８及び空間ＬＰＦ適用部１０９を有する。なお、ＢＬ制御値計算部１０３、フレームメモリ１０４、空間ＬＰＦ選択部１０５、漏れ光低減テーブルデータ１０６、ＬＰＦ係数テーブルデータ１０７、ＬＰＦ係数読出し部１０８及び空間ＬＰＦ適用部１０９が発光制御手段５０として機能する。
【００１３】
発光制御手段５０は、バックライト１０２に含まれるＢＬ制御エリア毎に発光強度を制御しており、ＢＬ制御エリアに対応する位置の画像データの時間変化量に応じて、周囲の
制御エリアとの発光強度の差を制御する平滑化処理を制御エリア毎に実行する。発光制御手段５０は、ＢＬ制御エリアに対応する位置の画像データの時間変化量が大きいほど、制御エリア間における平滑化の度合いを小さくする。
ここで１フレーム前と現フレームとの画像データの差異を画像データの時間変化量としてもよい。また、１フレーム前と現フレームとの制御エリアに対応する液晶パネル１０１の領域の画素値の平均値の差分を画像データの時間変化量としてもよい。
また、平滑化処理は、各制御エリアの発光制御量に対して空間ＬＰＦを適用する処理である。
なお、後述する発光制御手段５０による処理は、複数の回路（例えば、ＡＳＩＣ）により実行されてもよいし、表示装置１００における１つ以上のプロセッサがメモリからプログラムを読出し実行してもよい。
【００１４】
液晶パネル１０１（ＬＣＤ（Liquid Crystal Display））は、複数の画素を有し、バックライト１０２から照射される光を所定の透過率で透過することで画面に画像を表示する表示パネルである。
表示制御部１０１ａは、入力された映像信号に応じて液晶パネル１０１を制御する機能を有する。映像信号は、例えば各画素の画素値（ＲＧＢ値）等の画像データである。
バックライト１０２は、液晶パネル１０１の背面側に複数のＢＬ制御エリアを備え、各ＢＬ制御エリアに対応する液晶パネルの領域に表示される画像の明るさに応じて、ＢＬ制御エリア毎に照明の明るさ（発光強度）を制御する照明手段である。このような制御は「ローカルディミング制御」などと呼ばれる。また、ＢＬ制御エリアには、複数のＬＥＤ（発光手段）が含まれる。なお、具体的な制御方法に関しては後述する。
【００１５】
ＢＬ制御値計算部１０３は、バックライト１０２のＢＬ制御エリア毎にＢＬ輝度制御値（発光制御量）ｂｄを算出する機能を有する。ＢＬ輝度制御値ｂｄの算出方法については後述する。
フレームメモリ１０４は、入力された映像信号を記憶する機能を有する。
空間ＬＰＦ選択部１０５は、フレームメモリ１０４に記憶された１フレーム前と現フレームの映像信号とに基づいて、ＢＬ制御エリア毎に、ＢＬ制御エリアに対応する位置の映像信号の時間変化量に応じた空間ＬＰＦ係数Ｋを選択する機能を有する。なお、空間ＬＰＦ係数Ｋは、空間ＬＰＦ（ローパスフィルター）として用いられる。
漏れ光低減テーブルデータ１０６は、映像信号の時間変化量と、空間ＬＰＦ係数Ｋを一意に識別する空間ＬＰＦ係数番号Ｌとを対応付けるテーブルである。
ＬＰＦ係数テーブルデータ１０７（記憶部）は、複数の空間ＬＰＦ係数Ｋを記憶するテーブルである。発光制御手段５０は、平滑化処理として、画像データの時間変化量に応じた空間ＬＰＦをＬＰＦ係数テーブルデータ１０７から取得し、各制御エリアの発光制御量に対して空間ＬＰＦを適用する。
ＬＰＦ係数読出し部１０８は、ＢＬ制御エリア毎にＬＰＦ係数テーブルデータ１０７から、空間ＬＰＦ係数番号Ｌに応じた空間ＬＰＦ係数Ｋを読み出す機能を有する。
空間ＬＰＦ適用部１０９は、ＢＬ制御エリア毎に読み出された空間ＬＰＦ係数Ｋを用いて、周囲のＢＬ制御エリアとの発光強度の差を制御する処理をＢＬ制御エリア毎に実行する機能を有する。
【００１６】
（実施例１の処理）
図２は、実施例１の処理のフローチャートの例を示す図である。図２を用いて実施例１の処理を説明する。
ステップＳ２１では、ＢＬ制御値計算部１０３は、表示装置１００に映像信号として入力されたＲＧＢ信号を取得する。ここで、ＲＧＢ信号は、液晶パネル１０１の画素毎の赤（Ｒ値）、緑（Ｇ値）、青（Ｂ値）の画像データである。ＲＧＢ信号では、各色が例えば０〜２５５の範囲で示される。以下では、ＲＧＢ信号によって示される画素毎の各色の値
を画素値という。
ステップＳ２２では、ＢＬ制御値計算部１０３は、画素値（ＲＧＢ）を色データ輝度値Ｙ（輝度情報）に変換する。具体的には、ＢＬ制御値計算部１０３は、画素値を下記の（１）の式を用いて色データ輝度値Ｙに変換する。
Ｙ＝αＲ＋βＧ＋γＢ  ・・・（１）
α、β、γは、ＲＧＢそれぞれの信号値を輝度に変換する際の輝度換算係数である。
【００１７】
ステップＳ２３では、ＢＬ制御値計算部１０３は、画素エリア毎に１以上の画素の色データ輝度値Ｙの平均値ＹＡＧを算出する。ここで、上述のようにバックライト１０２はＢＬ制御エリア単位で明るさを制御しているが、画素エリアとは、ＢＬ制御エリアに対応する位置の液晶パネル１０１の領域である。以下、ＢＬ制御エリアと画素エリアとの関係について説明する。
【００１８】
図３Ａ及び図３Ｂは、実施例１のローカルディミングを説明するための図である。図３Ａは、バックライト１０２を縦方向に４分割、横方向に５分割した例を示す。図３Ａの各マス目がＢＬ制御エリアであり、各マス目に複数のＬＥＤが配置され、ＢＬ制御エリア毎に明るさが制御される。
以下では、各ＢＬ制御エリアの位置をバックライト１０２の左上から数えた行数ｍと、列数ｎとで表す。例えば、ＢＬ制御エリアＡをｍ＝０、ｎ＝０で表し、ＢＬ制御エリアＢをｍ＝３、ｎ＝４で表し、ＢＬ制御エリアＣをｍ＝１、ｎ＝３で表し、ＢＬ制御エリアＤをｍ＝３、ｎ＝２で表す。
【００１９】
図３Ｂは、バックライト１０２と同様に液晶パネル１０１を縦方向に４分割、横方向に５分割した例を示す。各画素エリアの位置を液晶パネル１０１の左上から数えた行数Ｍと、列数Ｎとで表す。
実施例１では、図３Ｂの液晶パネル１０１の直下に図３Ａのバックライト１０２が配置される構成となっており、バックライト１０２の各ＢＬ制御エリアの位置（ｍ，ｎ）と液晶パネル１０１の画素エリアの位置（Ｍ，Ｎ）とが対応付けられる。
例えば、ＢＬ制御エリアＡ（位置は（ｍ＝０，ｎ＝０））に対応する画素エリアａがＭ＝０、Ｎ＝０の位置にあり、ＢＬ制御エリアＢ（位置は（ｍ＝３，ｎ＝４））に対応する画素エリアｂがＭ＝３、Ｎ＝４の位置にある。また、ＢＬ制御エリアＣ（位置は（ｍ＝１，ｎ＝３））に対応する画素エリアｃがＭ＝１、Ｎ＝３の位置にあり、ＢＬ制御エリアＤ（位置は（ｍ＝３，ｎ＝２））に対応する画素エリアｄがＭ＝３、Ｎ＝２の位置にあることになる。
【００２０】
図３Ｂの例で上述のステップＳ２２及びＳ２３を説明する。ＢＬ制御値計算部１０３は、ステップＳ２２において液晶パネル１０１の全ての画素の色データ輝度値Ｙを（１）の式で算出する。続いて、ＢＬ制御値計算部１０３は、ステップＳ２３において図３Ｂの画素エリア毎に、画素エリア内に含まれる画素の色データ輝度値Ｙの平均値ＹＡＧを算出する。例えば、ＢＬ制御値計算部１０３は、画素エリアａに含まれる複数の画素の色データ輝度値Ｙの平均値ＹＡＧを算出する。ＢＬ制御値計算部１０３は、画素エリアｂ、ｃ、ｄ及びそれ以外の画素エリアに関しても、同様にして色データ輝度値Ｙの平均値ＹＡＧを算出する。
【００２１】
図２に戻る。ステップＳ２４で、ＢＬ制御値計算部１０３は、ＢＬ制御エリア毎のＢＬ輝度制御値ｂｄを算出する。ＢＬ輝度制御値ｂｄは、１のＢＬ制御エリアに対して１つ算出され、ＢＬ制御エリア内の明るさを示す値である。実施例１において、ＢＬ輝度制御値ｂｄは０〜２５５までの範囲の整数とする。ＢＬ輝度制御値ｂｄが大きいほど、ＢＬ制御エリアが明るくなる。
【００２２】
ＢＬ制御値計算部１０３は、ｍ行、ｎ列の位置のＢＬ制御エリアのＢＬ輝度制御値ｂｄｍｎを下記の（２）の式を用いて算出する。なお、ｍ行、ｎ列の画素エリアの色データ輝度値Ｙの平均値をＹＡＧｍｎ、同じ画素エリア内の最大輝度値をＹｍａｘとする。
ｂｄｍｎ＝ＹＡＧｍｎ  ÷  Ｙｍａｘ  ・・・（２）
【００２３】
例えば、図３Ａ、図３Ｂによると、ＢＬ制御値計算部１０３は、０行、０列の位置のＢＬ制御エリアＡのＢＬ輝度制御値「ｂｄ００」を０行、０列の位置の画素エリアａのＹＡＧ００及びＹｍａｘを（２）の式に代入して算出する。また、ＢＬ制御値計算部１０３は、１行、３列の位置のＢＬ制御エリアＣの「ｂｄ１３」を１行、３列の位置の画素エリアｃのＹＡＧ１３及びＹｍａｘを（２）の式に代入して算出する。なお、他のＢＬ制御エリアのＢＬ輝度制御値も同様にして算出される。
【００２４】
図２に戻る。ステップＳ２５で、空間ＬＰＦ選択部１０５は、フレームメモリ１０４から１フレーム前の画素値（映像信号）を取得する。フレームメモリ１０４には、表示装置１００に入力された映像信号が順次格納されており、１フレーム前の映像信号（ＲＧＢ信号）が格納された状態となっている。なお、空間ＬＰＦ選択部１０５は、現フレームの映像信号を既に取得している。
【００２５】
ステップＳ２６で、空間ＬＰＦ選択部１０５は、現フレームと１つ前のフレームの色データ輝度値の変化に応じた空間ＬＰＦ係数番号を取得する。具体的には、空間ＬＰＦ選択部１０５は、現フレームの画素エリア内の各画素の色データ輝度値Ｙに基づく平均値ＹＡＧ（ｐ）を取得する。さらに空間ＬＰＦ選択部１０５は、１つ前のフレームの画素エリア内の映像データをフレームメモリ１０４から取得し、この映像データに基づいて平均値ＹＡＧ（ｐ−１）を算出する。
続いて、空間ＬＰＦ選択部１０５は、漏れ光低減テーブルデータ１０６を参照し、画素値の変化に応じた空間ＬＰＦ係数番号Ｌを選択する。ここで、空間ＬＰＦ係数番号Ｌは０〜１０まであり、後述する１１個の空間ＬＰＦ係数Ｋに対して１つずつ割り当てられる。空間ＬＰＦ選択部１０５は、漏れ光低減テーブルデータ１０６を参照し、現フレームの平均値ＹＡＧ（ｐ）と１つ前のフレームの平均値ＹＡＧ（ｐ−１）とにより、１つの空間ＬＰＦ係数番号Ｌを特定する。
【００２６】
図４は、漏れ光低減テーブルデータ１０６のデータ構造の第１の例を示す図である。漏れ光低減テーブルデータ１０６の各行が１フレーム前の平均値ＹＡＧ（ｐ−１）に対応し、各列が現フレームの平均値ＹＡＧ（ｐ）に対応する。なお、図４の表において、１フレーム前の平均値ＹＡＧ（ｐ−１）が３〜２５３までの範囲と、現フレームの平均値ＹＡＧ（ｐ）が３〜２５３までの範囲については省略している。
例えば、図４の表によると、１フレーム前の平均値ＹＡＧ（ｐ−１）が「０」で、現フレームの平均値ＹＡＧ（ｐ）が「０」の場合、空間ＬＰＦ係数番号Ｌが「１０」となる。また、１フレーム前の平均値ＹＡＧ（ｐ−１）が「２」で、現フレームの平均値ＹＡＧ（ｐ）が「０」の場合、空間ＬＰＦ係数番号Ｌが「９」となる。また、１フレーム前の平均値ＹＡＧ（ｐ−１）が「２５４」で、現フレームの平均値ＹＡＧ（ｐ）が「２５５」の場合、空間ＬＰＦ係数番号Ｌが「１０」となる。
【００２７】
なお、上述では、画素エリア内の色データ輝度値からＹＡＧ（ｐ−１）及びＹＡＧ（ｐ）を算出する例について説明したがこれに限定されない。画素エリア内の階調データ（階調情報、例えば、Ｒ値、Ｇ値、Ｂ値）からＹＡＧ（ｐ−１）及びＹＡＧ（ｐ）を算出してもよい。例えば、空間ＬＰＦ選択部１０５は、１フレーム前及び現フレームの（Ｒ値＋Ｇ値＋Ｂ値）÷３を画素毎に算出し、（Ｒ値＋Ｇ値＋Ｂ値）÷３の平均値をＹＡＧ（ｐ−１）及びＹＡＧ（ｐ）としてもよい。
【００２８】
図２に戻る。ステップＳ２７で、ＬＰＦ係数読出し部１０８は、空間ＬＰＦ係数番号Ｌに対応する空間ＬＰＦ係数ＫをＬＰＦ係数テーブルデータ１０７から読み出して取得する。ここでＬＰＦ係数テーブルデータ１０７は、各空間ＬＰＦ係数番号Ｌに対応する空間ＬＰＦ係数Ｋが格納されたテーブルである。実施例１の場合、０〜１０までの空間ＬＰＦ係数番号Ｌのそれぞれに対応する１１個の空間ＬＰＦ係数Ｋが、ＬＰＦ係数テーブルデータ１０７に格納されている。
ここで空間ＬＰＦ係数Ｋは、ＢＬ制御エリアのＢＬ輝度制御値ｂｄからバックライト制御値Ｔを算出するための係数を複数有するｉ行、ｊ列の行列である。空間ＬＰＦ係数Ｋの行列の成分数は表示装置１００の処理能力に応じて変更されてもよい。
【００２９】
図５は、ＬＰＦ係数テーブルデータ１０７に格納された空間ＬＰＦ係数Ｋの例を示す図である。図５には、０〜１０の空間ＬＰＦ係数番号Ｌに対応する空間ＬＰＦ係数Ｋ５０１〜５１１が示される。なお、図５では空間ＬＰＦ係数Ｋ５０３〜５１０は省略している。
空間ＬＰＦ係数Ｋ５０１〜５１１の各マス目に示される数値は、空間ＬＰＦ係数Ｋの行列の成分を示す。図５の例では、空間ＬＰＦ係数Ｋが３行（ｉ＝３）、３列（ｊ＝３）の行列であるものとする。
【００３０】
例えば、ＬＰＦ係数読出し部１０８が、空間ＬＰＦ係数番号Ｌ「０」に対応する空間ＬＰＦ係数Ｋ「５０１」を取得した場合、中央のＢＬ制御エリアの係数が「１．００」となり、その周囲のＢＬ制御エリアの係数が「０．００」となる。したがって、空間ＬＰＦ係数Ｋ「５０１」を適用した場合、中央の自ＢＬ制御エリア（自制御エリア）のＢＬ輝度制御値のみに応じた明るさで自ＢＬ制御エリアが点灯することになる。
また、例えば、ＬＰＦ係数読出し部１０８が、空間ＬＰＦ係数番号Ｌ「１０」に対応する空間ＬＰＦ係数Ｋ「５１１」を取得した場合、中央の自ＢＬ制御エリアの係数が「０．２０」となり、その周囲のＢＬ制御エリアの係数が「０．１０」となる。したがって、空間ＬＰＦ係数Ｋ「５１１」を適用した場合、周囲のＢＬ制御エリアのＢＬ輝度制御値の影響を比較的大きく受けた明るさで、中央の自ＢＬ制御エリアが点灯することになる。このように、空間ＬＰＦ係数番号Ｌが大きくなるにつれて、画素エリアに対応するＢＬ制御エリアの周囲のＢＬ制御エリアのＢＬ輝度制御値の影響を受けやすくなる。
【００３１】
したがって、映像信号の輝度値の変化が穏やかな画素エリアに対応するＢＬ制御エリアに対しては、比較的大きい空間ＬＰＦ係数番号Ｌが選択され、周囲のＢＬ制御エリアの輝度制御値の影響が大きい空間ＬＰＦ係数が選択されようになる。その結果、自ＢＬ制御エリアと周囲のＢＬ制御エリアとの明るさの差が小さくなるようになり、ＢＬ制御エリアの明るさが平滑化される。
また、映像信号の輝度値の変化が激しい画素エリアに対応するＢＬ制御エリアに対しては、比較的小さい空間ＬＰＦ係数番号Ｌが選択され、自ＢＬ制御エリアの輝度制御値の影響が大きい空間ＬＰＦ係数が選択されようになる。その結果、ＢＬ制御エリアの明るさの平滑化の効果が小さくなるかゼロとなる。これにより、従来問題となっていた液晶パネルの応答遅延による漏れ光を低減することができる。
なお、以下では、ｍ行、ｎ列に位置するＢＬ制御エリアの空間ＬＰＦ係数を「Ｋｍｎ」と示すものとする。
【００３２】
図２に戻る。ステップＳ２８で、空間ＬＰＦ適用部１０９は、空間ＬＰＦ係数Ｋ及びＢＬ輝度制御値ｂｄを用いて、ＢＬ制御エリアのバックライト制御値Ｔを算出し、バックライト１０２に設定する。以下では、ｍ行、ｎ列に位置するＢＬ制御エリアのバックライト制御値をＴｍｎと示すものとする。ここでバックライト制御値Ｔｍｎは、各ＢＬ制御エリアの発光制御量を示す行列である。
【００３３】
空間ＬＰＦ適用部１０９は、ｍ行、ｎ列の位置のＢＬ制御エリアのバックライト制御値
Ｔｍｎを、空間ＬＰＦ係数ＫｍｎとＢＬ輝度制御値ｂｄｍｎとを下記の（３）の式に代入して算出する。なお、Ｋｍｎは、３行、３列の行列であるものとする。
【数１】
2018180443.tif 000003
【００３４】
バックライト１０２を駆動する点灯周波数ごとに映像信号が送られ、空間ＬＰＦ係数Ｋｍｎが取得されるため、その都度、空間ＬＰＦ適用部１０９は、（３）の式を用いてバックライト制御値Ｔｍｎを算出する。そして、バックライト１０２は、バックライト制御値Ｔｍｎに基づいて各ＢＬ制御エリアを制御する。
なお、実施例１では、バックライト１０２の全てのＢＬ制御エリアに対して空間ＬＰＦを適用する例について説明したが、これに限定されない。バックライト１０２の一部のＢＬ制御エリアに対してのみ空間ＬＰＦを適用してもよい。
【００３５】
（従来例と比較した実施例１の効果）
図６は、従来例のローカルディミングを示す図である。「フレーム番号」は、映像信号のフレームの番号を示しており、フレーム１からフレーム２に移行するものとする。「映像信号」は、フレーム１及びフレーム２で出力される画像を示しており、フレーム１で全て白色の画像が出力され、フレーム２で中央だけが白色で周囲が黒色の画像が出力されるものとする。
「ＬＣＤ透過率」は、液晶パネル１０１の透過率の変化を示しており、フレーム１をさらに３つのサブフレームt_１−１、t_１−２、t_１−３に分けて示す。t_１−１、t_１−２、t_１−３において液晶パネル１０１の透過率は変化しない。一方で、フレーム２をさらに３つのサブフレームt_２−１、t_２−２、t_２−３に分けて示す。t_２−１、t_２−２、t_２−３において液晶パネル１０１の中央の周囲の透過率が徐々に低くなっている。t_２−３の時点で液晶パネル１０１が初めて所望の透過率となっており、t_２−１、t_２−２では液晶パネル１０１の透過率が十分に下がっていない状態である。このように液晶パネル１０１は応答速度が比較的遅く、所望の透過率となるまでに一定の時間がかかる。
【００３６】
「ＢＬ点灯状態」は、各ＢＬ制御エリアの点灯状態を示しており、図６の例では、３行、３列にＢＬ制御エリアが区分されているものとする。フレーム１では、t_１−１、t_１−２、t_１−３においてＢＬ制御エリアの点灯状態が変化しない。一方で、フレーム２では、t_２−１、t_２−２、t_２−３において上の行のＢＬ制御エリアから順に１行ずつ点灯状態が変化する。ここでt_２−１、t_２−２、t_２−３では、黒色の画像が表示される位置に対応する周囲のＢＬ制御エリアが消灯せず、少し明るく点灯している状態となっている。これは画像の中央の白色を再現するには中央のＢＬ制御エリアのみ点灯させても輝度が十分でないので、周囲のＢＬ制御エリアを少し点灯させて輝度を補うためである。
【００３７】
「表示画面」は、実際に液晶パネル１０１に表示される画面を示す。フレーム１では、t_１−１、t_１−２、t_１−３において特に表示画面は変化しない。一方で、フレーム２では、t_２−１においてＢＬ点灯状態が変更された上の行に対応する部分が少し明るい状態となっており、t_２−２においてＢＬ点灯状態が変更された上の行、中の行（中央を除く）に対応する部分がうっすらと明るい状態である。これは、「ＢＬ点灯状態」で周囲の部分のＢＬ制御エリアが少し明るく点灯している状態となっており、なお且つ、「ＬＣＤ透過率」でt_２−１、t_２−２の時点で液晶パネル１０１の透過率が十分に下がっていないため、漏れ光が発生したものである。
【００３８】
図７は、実施例１のローカルディミングを示す図である。図６との相違点について中心
に説明する。「フレーム番号」「映像信号」及び「ＬＣＤ透過率」に関しては図６と同様である。一方で、ＢＬ点灯状態に関し、t_２−１において上の行、t_２−２において中央を除く中の行、t_２−３において周囲の部分のＢＬ制御エリアが点灯していない点が従来例と異なる。このため、表示画面に関し、t_２−１時点の表示画面の上の行、t_２−２時点の表示画面の上の行と中の行（中央を除く）が黒く表示されており、実施例１では漏れ光が発生していないことが分かる。
このように、従来例では液晶パネル１０１が所望の透過率となるまで漏れ光が発生し、フリッカの原因となっているのに対し、実施例１では漏れ光を抑えることができるため、フリッカを抑制することができる。
【００３９】
次に、従来例と実施例１との効果の比較について具体例を挙げて説明する。
図８は、従来例と実施例１のローカルディミングの具体例を示す図である。図８には、上側に従来例のＢＬ輝度制御値ｂｄ、空間ＬＰＦ係数Ｋ及びバックライト制御値Ｔが順に示される。また、下側に実施例１のＢＬ輝度制御値ｂｄ、空間ＬＰＦ係数Ｋ及びバックライト制御値Ｔが順に示される。つまり、周囲の８個のＢＬ制御エリアに対応する画素エリアで画像の明るさが大きく変化する。
バックライト１０２のＢＬ制御エリアは、３行、３列の計９個に区分されるものとする。従来例、実施例１のＢＬ輝度制御値ｂｄは同様に変化するものとし、前フレームではＢＬ輝度制御値ｂｄが全て２５５とし、現フレームではＢＬ輝度制御値ｂｄが中央のみ２５５とし、他は０であるものとする。
従来例の空間ＬＰＦ係数Ｋは３行、３列の行列であり、中央の項が「0.20」でその他の項が「0.10」であるものとする。一方で、実施例１の周囲のＢＬ制御エリアに対する空間ＬＰＦ係数Ｋとして空間ＬＰＦ係数番号Ｌが「0」の３行、３列の行列が選択され、中央
の項が「1.00」でその他の項が「0.00」であるものとする。また、実施例１の中央のＢＬ制御エリアに対する空間ＬＰＦ係数Ｋとして空間ＬＰＦ係数番号Ｌが「10」の３行、３列の行列が選択され、中央の項が「0.20」でその他の項が「0.10」であるものとする。
以上の条件で（３）の式に代入され、従来例及び実施例１のバックライト制御値Ｔが算出される。
なお、バックライト１０２の端側のＢＬ制御エリアのバックライト制御値Ｔを算出する場合、周囲にＢＬ制御エリアがない場所があることがある。この場合、周囲にＢＬ制御エリアがない場所に隣接するＢＬ制御エリアのＢＬ輝度制御値ｂｄを用いてバックライト制御値Ｔを算出してもよい。
【００４０】
従来例では、中央のバックライト制御値Ｔが「51.00」となり、その周囲のバックライ
ト制御値Ｔが「25.50」となる。このように、従来例の場合、中央の明るいＢＬ制御エリ
アの周囲のＢＬ制御エリアも少し明るくなるように制御されることが分かる。
一方で、実施例１では、中央のバックライト制御値Ｔが「51.00」となり、その周囲の
バックライト制御値Ｔが「0.00」となる。このように実施例１では、周囲のＢＬ制御エリアが従来例と比べて暗くなるように制御される。このように画像が白から黒に変化した画素エリアに対応するＢＬ制御エリアが暗くなるため、液晶応答が遅れても漏れ光が抑制される。これにより、上述したフリッカを抑制する効果が得られる。
【００４１】
＜実施例２＞
実施例１では、１つ前のフレームと現フレームの色データ輝度値Ｙの変化に応じて、フレーム毎に空間ＬＰＦ（空間ＬＰＦ係数Ｋ）を切り替える制御を行った。これに対して実施例２では、フレームの前半部と後半部とで異なる空間ＬＰＦに切り替えてバックライト１０２を制御する。すなわち、発光制御手段５０は、平滑化処理として、ＢＬ制御エリアに対応する位置の画像データの時間変化量に応じて平滑化の度合いを制御した後に、平滑化の度合いを大きくする処理を行う。
（実施例２の処理）
実施例２においても表示装置１００の構成は図１と同様であるので、各部の機能の説明を省略する。
図９は、実施例２の処理のフローチャートの例を示す図である。図９を用いて実施例２の処理を説明する。ステップＳ８１〜Ｓ８８の処理は、図２のステップＳ２１〜Ｓ２８の処理と同様である。すなわち、ＢＬ制御値計算部１０３は、ステップＳ８１でＲＧＢ信号（映像信号）を取得し、ステップ１０２で画素値（ＲＧＢ）を色データ輝度値Ｙに変換する。続いて、ＢＬ制御値計算部１０３は、ステップＳ８３で画素エリア毎に色データ輝度値Ｙの平均値ＹＡＧを算出し、ステップＳ８４でＢＬ制御エリア毎のＢＬ輝度制御値ｂｄを算出する。続いて、空間ＬＰＦ選択部１０５は、ステップＳ８５で１フレーム前の画素値を取得し、ステップＳ８６で現フレームと１つ前のフレームの色データ輝度値の変化に応じた空間ＬＰＦ係数番号Ｌ１を取得する。続いて、ＬＰＦ係数読出し部１０８は、ステップＳ８７で空間ＬＰＦ係数番号Ｌ１に対応する空間ＬＰＦ係数Ｋ１を取得し、空間ＬＰＦ適用部１０９は、ステップＳ８８で空間ＬＰＦ係数Ｋ１を用いて各ＢＬ制御エリアのバックライト制御値Ｔ１を設定する。
【００４２】
続いて、ステップＳ８９では、空間ＬＰＦ選択部１０５は、ＢＬ制御エリア毎に、１つ前のフレームが現フレームと同じ色データ輝度値であった場合の空間ＬＰＦ係数番号Ｌ２を選択する。
具体的には、空間ＬＰＦ選択部１０５は、１つ前のフレームの色データ輝度値の平均値ＹＡＧ（ｐ−１）が、現フレームの色データ輝度値の平均値ＹＡＧ（ｐ）と同じ値であるものとみなす。この場合において空間ＬＰＦ選択部１０５は、漏れ光低減テーブルデータ１０６を参照し、空間ＬＰＦ係数番号Ｌ２を取得する。
【００４３】
例えば、図４で、空間ＬＰＦ選択部１０５は、ＹＡＧ（ｐ）が「２」であった場合、ＹＡＧ（ｐ−１）も「２」とみなし、漏れ光低減テーブルデータ１０６を参照し、空間ＬＰＦ係数番号Ｌ２「１０」を取得する。また、空間ＬＰＦ選択部１０５は、ＹＡＧ（ｐ）が「２５５」であった場合、ＹＡＧ（ｐ−１）も「２５５」とみなし、漏れ光低減テーブルデータ１０６を参照し、空間ＬＰＦ係数番号Ｌ２「１０」を取得する。このように、ステップＳ８９では最も大きい空間ＬＰＦ係数番号Ｌ２が選択される。
【００４４】
図９に戻る。ステップＳ９０で、ＬＰＦ係数読出し部１０８は、空間ＬＰＦ係数番号Ｌ２に対応する空間ＬＰＦ係数Ｋ２をＬＰＦ係数テーブルデータ１０７から読み出して取得する。続いて、ステップＳ９１で、空間ＬＰＦ適用部１０９は、（３）の式を用いて空間ＬＰＦ係数Ｋ２をＢＬ輝度制御値ｂｄに乗算することで、ＢＬ制御エリアのバックライト制御値Ｔ２を算出する。
【００４５】
以上のように、ステップＳ８９で比較的大きい空間ＬＰＦ係数番号Ｌ２に係る空間ＬＰＦ係数Ｋ２が選択されたことで、例えば、明るいＢＬ制御エリアの周囲の暗いＢＬ制御エリアが少し明るく点灯するようになる。これにより、周囲から入る光により対象のＢＬ制御エリアをより明るくすることができるようになる。さらに、この時点では液晶の透過率が十分に低くなっているため、周囲のＢＬ制御エリアの光が液晶を透過することはなく、漏れ光が発生することもない。
【００４６】
（実施例２の効果）
図１０は、実施例１のローカルディミングを示す図である。「フレーム番号」及び「映像信号」は、図７と同じである。
「ＬＣＤ透過率」は、液晶パネル１０１の透過率の変化を示しており、フレーム１をさらに６つのサブフレームt_１−１、t_１−２、t_１−３、t_１−４、t_１−５、t_１−６に分けて示す。t_１−１、t_１−２、t_１−３、t_１−４、t_１−５、t_１−６において液晶パネル１０１の透過率は変化しない。一方で、フレーム２をさらに６つのサブフレー
ムt_２−１、t_２−２、t_２−３、t_２−４、t_２−５、t_２−６に分けて示す。t_２−１、t_２−２、t_２−３、t_２−４において液晶パネル１０１の中央の周囲の透過率が徐々に低くなっている。t_２−４の時点で液晶パネル１０１が初めて所定の透過率となっており、t_２−１、t_２−２、t_２−３では液晶パネル１０１の透過率が十分に下がっていない状態である。
【００４７】
「ＢＬ点灯状態」は、各ＢＬ制御エリアの点灯状態を示しており、３行、３列にＢＬ制御エリアが区分されているものとする。フレーム１では、t_１−１、t_１−２、t_１−３、t_１−４、t_１−５、t_１−６においてＢＬ制御エリアの点灯状態が変化しない。一方で、フレーム２では、t_２−１、t_２−２、t_２−３において上の行のＢＬ制御エリアから順に１行ずつ点灯状態が変化する。t_２−３においては、周囲の部分のＢＬ制御エリアが消灯した状態となる。
続いて、t_２−４、t_２−５、t_２−６において再度、上の行のＢＬ制御エリアから順に１行ずつ点灯状態が変化する。t_２−６においては、周囲の部分のＢＬ制御エリアが少し明るく点灯した状態となる。なお、実施例２においては、バックライト１０２の駆動周波数が液晶パネル１０１の２倍となっており、ＢＬ制御エリアの点灯状態を１フレーム内で２回変更することが可能である。
【００４８】
「表示画面」は、実際に液晶パネル１０１に表示される画面を示す。フレーム１では、t_１−１、t_１−２、t_１−３、t_１−４、t_１−５、t_１−６において特に表示画面は変化しない。一方で、フレーム２では、t_２−１時点の表示画面の上の行、t_２−２時点の表示画面の上の行と、中央部を除く中の行とが黒く表示されており、漏れ光が発生していないことが分かる。t_２−３時点では、さらに表示画面の下の行が黒く表示される。このとき、表示画面の中央部が輝度不足で少し暗い状態となっている。続いて、t_２−４、t_２−５、t_２−６において周囲のＢＬ制御エリアが少し明るく点灯することで、表示画面の中央部が徐々に明るい状態に変化する。
このように、実施例２においては、漏れ光を防止する効果があるだけでなく、ＢＬ制御エリア内の輝度を高める効果を奏する。
【００４９】
＜実施例３＞
実施例１及び実施例２では、１フレーム前と現フレームに対応する映像信号から色データ輝度値Ｙの平均値ＹＡＧが算出され、色データ輝度値ＹＡＧの変化に応じた空間ＬＰＦ係数Ｋが取得される。これに対して、実施例３では、１フレーム前と現フレームに対応するＢＬ輝度制御値ｂｄがＢＬ制御値計算部１０３から取得され、ＢＬ輝度制御値ｂｄの変化に応じた空間ＬＰＦ係数Ｋが取得される。すなわち、発光制御手段５５は、ＢＬ制御エリアに対応する位置の画像データに基づいて算出される発光制御量を１フレーム前と現フレームとでそれぞれ算出し、１フレーム前と現フレームとの発光制御量の差分を画像データの時間変化量とする。
（実施例３の構成）
以下、図面を参照しながら実施例３の構成を説明する。実施例１と同様の構成に関しては、同じ番号を付し、適宜説明を省略する。
図１１は、実施例３の表示装置３００の構成例を説明するためのブロック図である。実施例１と同じ構成に関しては同じ番号を付し、適宜説明を省略する。
フレームメモリ３０４は、ＢＬ制御値計算部１０３より出力されたＢＬ輝度制御値ｂｄを記憶する機能を有する。
空間ＬＰＦ選択部３０５は、フレームメモリ１０４に記憶された１フレーム前のＢＬ輝度制御値ｂｄと、現フレームのＢＬ輝度制御値ｂｄとに基づいて、ＢＬ制御エリアのＢＬ輝度制御値ｂｄの時間変化量に応じた空間ＬＰＦ係数を選択する機能を有する。
漏れ光低減テーブルデータ３０６は、ＢＬ輝度制御値ｂｄの時間変化量と、空間ＬＰＦ係数Ｋを識別するための空間ＬＰＦ係数番号Ｌとを対応付けるテーブルである。
なお、ＢＬ制御値計算部１０３、フレームメモリ３０４、空間ＬＰＦ選択部３０５、漏れ光低減テーブルデータ３０６、ＬＰＦ係数テーブルデータ１０７、ＬＰＦ係数読出し部１０８及び空間ＬＰＦ適用部１０９が発光制御手段５５として機能する。
【００５０】
（実施例３の処理）
図１２は、実施例３の処理のフローチャートの例を示す図である。図１２を用いて実施例３の処理を説明する。ステップＳ１０１〜Ｓ１０４の処理は、図２のステップＳ２１〜Ｓ２４の処理と同様である。すなわち、ＢＬ制御値計算部１０３は、ステップＳ１０１でＲＧＢ信号（映像信号）を取得し、ステップ１０２で画素値（ＲＧＢ）を色データ輝度値Ｙに変換する。続いて、ＢＬ制御値計算部１０３は、ステップＳ１０３で画素エリア毎に色データ輝度値Ｙの平均値ＹＡＧを算出し、ステップＳ１０４でＢＬ制御エリア毎のＢＬ輝度制御値ｂｄを算出する。
【００５１】
ステップＳ１０５で、空間ＬＰＦ選択部３０５は、フレームメモリ３０４から１フレーム前のＢＬ輝度制御値ｂｄを取得する。フレームメモリ３０４には、ＢＬ制御値計算部１０３から入力された映像信号が順次格納されており、１フレーム前のＢＬ輝度制御値ｂｄが格納された状態となっている。なお、現フレームのＢＬ輝度制御値ｂｄは、空間ＬＰＦ選択部１０５が既に取得している。
【００５２】
ステップＳ１０６で、空間ＬＰＦ選択部３０５は、ＢＬ制御エリア毎の現フレームと１つ前のフレームのＢＬ輝度制御値ｂｄに基づいて、漏れ光低減テーブルデータ３０６からＢＬ輝度制御値ｂｄの変化に応じた空間ＬＰＦ係数番号Ｌを選択する。
【００５３】
図１３は、漏れ光低減テーブルデータ３０６のデータ構造の第２の例を示す図である。漏れ光低減テーブルデータ３０６の各行が１フレーム前のＢＬ輝度制御値ｂｄに対応し、各列が現フレームのＢＬ輝度制御値ｂｄに対応する。なお、図１３の表において、１フレーム前のＢＬ輝度制御値ｂｄが３〜２５３までの範囲と、現フレームのＢＬ輝度制御値ｂｄが３〜２５３までの範囲については省略している。
例えば、図１３の表によると、１フレーム前のＢＬ輝度制御値ｂｄが「１」で、現フレームのＢＬ輝度制御値ｂｄが「２」の場合、空間ＬＰＦ係数番号Ｌが「９」となる。また、１フレーム前のＢＬ輝度制御値ｂｄが「２」で、現フレームのＢＬ輝度制御値ｂｄが「０」の場合、空間ＬＰＦ係数番号Ｌが「９」となる。また、１フレーム前のＢＬ輝度制御値ｂｄが「２５５」で、現フレームのＢＬ輝度制御値ｂｄが「２５５」の場合、空間ＬＰＦ係数番号Ｌが「１０」となる。
【００５４】
ステップＳ１０７で、ＬＰＦ係数読出し部１０８は、空間ＬＰＦ係数番号Ｌに対応する空間ＬＰＦ係数ＫをＬＰＦ係数テーブルデータ１０７から読み出して取得する。ＬＰＦ係数テーブルデータ１０７には、例えば、図５と同様にＬ＝０〜１０までの空間ＬＰＦ係数Ｋが格納されている。
ステップＳ１０８で、空間ＬＰＦ適用部１０９は、（３）の式を用いて空間ＬＰＦ係数ＫをＢＬ輝度制御値ｂｄに乗算することで、ＢＬ制御エリアのバックライト制御値Ｔを算出する。なお、ステップＳ１０７及びＳ１０８の処理は、図２のステップＳ２７及びＳ２８と同様の処理である。
以上説明したように、実施例３によれば、ＢＬ制御値計算部１０３により算出されたＢＬ輝度制御値ｂｄに基づいて空間ＬＰＦ係数Ｋを選択するため、映像信号を取得する必要がなくなり、効率的な処理を行うことができる。また、ＢＬ輝度制御値ｂｄは、映像信号を用いて算出されており、色データ輝度値と概ね比例する関係があるため、実施例１とほぼ同様の制御が可能となる。
【００５５】
なお、上記の実施例では表示パネルとして液晶パネル１０１を用いたが、液晶素子以外
のデバイスで光を変調する方式の表示パネルを用いてもよい。例えば、ＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式の表示パネルに本発明を適用してもよい。
【符号の説明】
【００５６】
１００：表示装置、１０１：液晶パネル、１０２：バックライト、１０３：ＢＬ制御値計算部、１０４：フレームメモリ、１０５：空間ＬＰＦ選択部、１０６：漏れ光低減テーブルデータ、１０７：ＬＰＦ係数テーブルデータ、１０８：ＬＰＦ係数読出し部、１０９：空間ＬＰＦ適用部
【図１】
2018180443.tif 000004
【図２】
2018180443.tif 000005
【図３】
2018180443.tif 000006
【図４】
2018180443.tif 000007
【図５】
2018180443.tif 000008
【図６】
2018180443.tif 000009
【図７】
2018180443.tif 000010
【図８】
2018180443.tif 000011
【図９】
2018180443.tif 000012
【図１０】
2018180443.tif 000013
【図１１】
2018180443.tif 000014
【図１２】
2018180443.tif 000015
【図１３】
2018180443.tif 000016